(57)【特許請求の範囲】
【請求項１】
容器本体と、この容器本体に開閉自在に蝶着される蓋体とを備え、容器本体内に化粧皿を収納するようにした化粧料容器において、
前記化粧皿の外周に係合溝を形成し、前記容器本体の化粧皿収納部の第１内面に、前記化粧皿の係合溝に係合可能な第１係合突起を形成するとともに、該第１内面に対向する化粧皿収納部の第２内面に、上下方向に延びる縦スリットを両側に形成して下端を自由端とする可撓可能な複数の爪を形成し、これら爪の下端部内面に、前記化粧皿の係合溝に係合可能な第２係合突起を形成するとともに、これら爪間の第２内面を、下端を自由端として前記爪より大きなバネ力をもって可撓可能な保持壁とし、この保持壁の内面に、前記第２係合突起より少ない突出量に設定されて前記化粧皿を第１係合突起方向に押圧する凸部を形成し、かつ前記第２内面の、ともに可撓可能な前記保持壁および前記爪の上方に、それらの形成領域の全幅に亘って横スリットを形成したことを特徴とする化粧料容器。
【発明の詳細な説明】
【０００１】
【発明の属する技術分野】
本発明は、化粧皿を交換可能とした化粧料容器に関する。
【０００２】
【従来の技術】
この種の化粧料容器としては特開平８−５２０２５号公報に開示されるものが存在し、化粧料を詰めた化粧皿を容器本体に対して脱着可能として、１つのコンパクトで複数種類の化粧料の交換が可能となっている。
【０００３】
このコンパクトでは、有底短筒状に形成された本体内には、仕切り壁片によって化粧皿を収納する中皿収納部が区画形成されるとともに、本体は蝶番結合される蓋体により開閉されるようになっている。そして、中皿収納部内周には前記仕切り壁片の一方側面に係止片が突設され、かつ、この一方側面に対向する一方側側壁に弾片等の可撓片が横設状に形成されるとともに、この一方側側壁の両端の角部内周面に係止突片が突設される。この弾片は、コ字状のスリットにより一方側側壁から可撓可能に形成されて弾発力を備えており、その先端部に突き当たり片が突設される。
【０００４】
一方、前記化粧皿の外周面には、前記係止片が係止する係止溝が、また前記係止突片が係止する係止凹部がそれぞれ設けられる。そして、化粧皿の装着時には前記係止溝に係止片を係止させるとともに、係止凹部に係止突片を係止させた状態で、一方側外周面に前記弾片の突き当たり片が押接されるようになっている。このように突き当たり片が化粧皿の一方側外周面に押接されることにより、化粧皿は仕切り壁片方向に押圧されてガタ付きが防止されるようになっている。
【０００５】
【発明が解決しようとする課題】
しかしながら、かかる従来の化粧皿を脱着可能としたコンパクトにあっては、化粧皿のガタ付きを防止する弾片等の可撓片は、上述したようにコ字状のスリットにより一方側側壁に形成されたものであり、この弾片の付け根部分を支点とし、かつスリットで切り欠かれた先端部を自由端部としてたわみ変形される。このとき、弾片を連結する一方側側壁は本体の周壁を構成するために高い剛性を備えるので、弾片の先端部の弾発力はこれの付け根部分の剛性のみによって決定される。
【０００６】
従って、化粧皿の着脱時やコンパクトを落とした場合には、化粧皿の外周面で弾片の先端部の突き当たり片が押圧されて先端部がたわみ変形されるが、このたわみ変形による応力が弾片の付け根部分の一箇所に集中することになる。このため、弾片の付け根部分に亀裂が入るなどして破損し易く、延いてはコンパクトの耐久性が低下されてしまうというおそれがあった。
【０００７】
そこで、本発明はかかる従来の課題に鑑みて成されたもので、弾発力をもった可撓片を形成した壁面に変形機能を付加して、化粧皿の着脱時等にあってこの可撓片がたわみ変形される際の応力を分散させることにより、可撓片の破壊強度を高めるようにした化粧料容器を提供することを目的とする。
【０００８】
【課題を解決するための手段】
かかる目的を達成するために本発明は、容器本体と、この容器本体に開閉自在に蝶着される蓋体とを備え、容器本体内に化粧皿を収納するようにした化粧料容器において、前記化粧皿の外周に係合溝を形成し、前記容器本体の化粧皿収納部の第１内面に、前記化粧皿の係合溝に係合可能な第１係合突起を形成するとともに、該第１内面に対向する化粧皿収納部の第２内面に、上下方向に延びる縦スリットを両側に形成して下端を自由端とする可撓可能な複数の爪を形成し、これら爪の下端部内面に、前記化粧皿の係合溝に係合可能な第２係合突起を形成するとともに、これら爪間の第２内面を、下端を自由端として前記爪より大きなバネ力をもって可撓可能な保持壁とし、この保持壁の内面に、前記第２係合突起より少ない突出量に設定されて前記化粧皿を第１係合突起方向に押圧する凸部を形成し、かつ前記第２内面の、ともに可撓可能な前記保持壁および前記爪の上方に、それらの形成領域の全幅に亘って横スリットを形成したことを特徴とする。
【０００９】
以上の構成により本発明の化粧料容器にあっては、化粧皿を上方から化粧皿収納部に挿入することにより、化粧皿の下端部で可撓機能を備えた爪を押し開きつつこの化粧皿の係合溝が、第１内面に形成した第１係合突起に係合するとともに、前記爪に形成した第２係合突起が係合溝に位置した時点で爪が復帰してこの第２係合突起が係合溝に係合する。このとき、前記爪間の可撓機能を備えた保持壁に形成した凸部で化粧皿が第１係合突起方向に押圧されて、この第１係合突起と前記係合溝との係合状態が保持されるとともに、前記凸部は前記第２係合突起より少ない突出量に設定されているので、この第２係合突起と係合溝との係合状態も保持され、化粧皿の自然離脱が防止される。従って、化粧皿を上方から化粧皿収納部に単に押し込むことによって、係合溝が第１，第２係合突起にそれぞれ係合されて化粧皿の装着が可能となり、化粧皿の装着作業を著しく簡単に行うことができる。次に、前記化粧皿を取り外す際には、化粧皿を第２内面方向に押すことで、この化粧皿で前記凸部を押圧して保持壁をたわませつつ第１係合突起から係合溝を離脱させ、そして、化粧皿の第１係合突起側が上方となるように斜めにしてこの化粧皿を上方に持ち上げて第２係合突起から係合溝を離脱する。
【００１０】
ところで、化粧皿を装着する際にこれの下端部で爪を外方に押し開くが、このとき、第２内面の、ともに可撓可能な保持壁および爪の上方に、それらの形成領域の全幅に亘って横スリットが形成されているので、爪を押し開くときの押圧力がこの爪の付け根部分を介して第２内面に伝達された際に、この第２内面の前記横スリットより下方部分はねじれを伴って外方に湾曲される。従って、化粧皿を装着する際に爪を押圧することによって発生する応力は、爪が押し開かれるときの曲げ変形部分と、前記第２内面の湾曲部分とに分散される。このため、爪の曲げ変形部分に応力が集中して破壊されるのを防止し、化粧料容器の耐久性を向上することができる。また、化粧皿を取り外す際に保持壁をたわませるが、この場合にあっても保持壁をたわませる時の押圧力が前記第２内面の横スリットより下方部分に入力されて、保持壁のたわみとともに第２内面がねじれを伴って外方に湾曲され、応力を分散させることができる。このため、保持壁のたわみ変形部分に応力が集中するのを防止できるため、保持壁が破損されるのを防止できる。更に、化粧料容器を落下させて衝撃が入力された場合にも、落としたショックによる化粧皿の移動により保持壁や爪がたわませられるが、この場合にも第２内面の下方部分が湾曲することにより応力を分散させてこれら保持壁および爪の破損を防止でき、化粧料容器の耐久性を向上することができる。
【００１１】
【発明の実施の形態】
以下、本発明の実施形態を添付図面を参照して詳細に説明する。図１から図６は本発明にかかる化粧料容器の一実施形態を示し、図１は化粧皿を取り出して蓋体を開放した状態の化粧料容器の斜視図、図２は蓋体を開放した化粧料容器の平面図、図３は蓋体を閉止した状態の図２中Ａ−Ａ線に対応する断面図、図４は蓋体を閉止した状態の図２中Ｂ−Ｂ線に対応する断面図、図５は化粧皿の装着状態を示す拡大要部断面図、図６は化粧皿を離脱する状態を示す拡大要部断面図である。
【００１２】
本発明の化粧料容器１０の基本構成は、容器本体１２と、この容器本体１２に開閉自在に蝶着される蓋体１４とを備え、容器本体１２内に化粧皿２４を収納するようになっており、前記化粧皿２４の外周に係合溝２４ａを形成し、前記容器本体１２の化粧皿収納部２０の第１内面２０ａに、前記化粧皿２４の係合溝２４ａに係合可能な第１係合突起２８を形成するとともに、該第１内面２０ａに対向する化粧皿収納部２０の第２内面２０ｂに、上下方向に延びる縦スリット３０ａを両側に形成して下端を自由端とする可撓可能な複数の爪３０を形成し、これら爪３０の下端部内面に、前記化粧皿２４の係合溝２４ａに係合可能な第２係合突起３２を形成するとともに、これら爪３０間の第２内面２０ｂを、下端を自由端として前記爪３０より大きなバネ力をもって可撓可能な保持壁３４とし、この保持壁３４の内面に、前記第２係合突起３２より少ない突出量に設定されて前記化粧皿２４を第１係合突起２８方向に押圧する凸部３６を形成し、かつ前記第２内面２０ｂの、ともに可撓可能な前記保持壁３４および前記爪３０の上方に、それらの形成領域の全幅に亘って横スリット３８を形成する。
【００１３】
即ち、本実施形態にかかる化粧料容器１０は、図１，図２に示すように容器本体１２の後方端部（図１中Ｘ方向を前方、Ｙ方向を後方とする。）に蓋体１４が蝶番１６を介して開閉可能に蝶着される。前記容器本体１２内は略中央部に設けられる隔壁１８によって左右２つの収納部に隔成され、一方（図１中右方）の収納部が化粧皿収納部２０として形成され、かつ、他方（図１中左方）の収納部をパフ等を入れる小物入れ２２として用いる。そして、前記化粧皿収納部２０には、前記容器本体１２とは別体に形成される図１に示した化粧皿２４が脱着可能に収納される。
【００１４】
前記化粧皿２４は前記化粧皿収納部２０の内周形状に沿って矩形状に形成され、その内部に化粧料２６が充填されるとともに、この化粧皿２４の前後両側には係合溝２４ａが形成されている。一方、前記隔壁１８の化粧皿収納部２０側の第１内面２０ａには、前記化粧皿２４の係合溝２４ａに係合可能な一対の第１係合突起２８，２８が形成される。また、前記隔壁１８の第１内面２０ａに対向する化粧皿収納部２０の第２内面２０ｂに、前記第１係合突起２８，２８に対向して一対の爪３０，３０を形成する。これら爪３０，３０は前記第２内面２０ｂの下端部を分離して上下方向に延びる縦スリット３０ａを両側に形成することによって、上端部の付け根部分を中心として可撓可能となっている。そして、前記爪３０，３０の下端部内面には前記化粧皿２４の係合溝２４ａに係合可能な第２係合突起３２，３２が形成される。前記隔壁１８の中央部には装着した化粧皿２４を押圧するための凹設部１８ａが形成されている。
【００１５】
また、前記一対の爪３０，３０間の第２内面２０ｂの下端部を分離して、保持壁３４が形成される。この保持壁３４は下端部を自由端として、上端部の付け根部分を中心としてたわみ可能となる。このとき、図３に示すように前記保持壁３４の幅Ｗ1 を前記爪３０の幅Ｗ2 より広くして、保持壁３４のバネ力が爪３０より大きく設定される。前記保持壁３４の内面の下端部中央には、前記化粧皿２４の装着状態でこの化粧皿２４を前記第１係合突起２８方向に押圧する凸部３６が形成される。この凸部３６の突出量は前記第２係合突起３２より少なく（図２に示す突出量差δ）設定され、この凸部３６で化粧皿２４を押圧した状態で第２係合突起３２が化粧皿２４の係合溝２４ａに係合した状態が保持される。
【００１６】
更に、前記第２内面２０ｂの化粧皿収納部２０に面した上端部に、前記保持壁３４および前記爪３０，３０の形成領域の全幅に亘って水平方向に延びる横スリット３８が形成される。従って、前記保持壁３４および前記爪３０の形成領域の第２内面２０ｂは、これの上下端部が分離されることになる。
【００１７】
本実施形態の化粧料容器１０は、蓋体１４の裏面にバニティミラー４０が取付けられるとともに、図４に示すように蓋体１４の先端部中央に突設したフック４２が、容器本体１２の前端部中央に形成した突起４４に係止されることにより、蓋体１４の閉止状態が保持されるようになっている。また、蓋体１４を開放する際には、前記フック４２を押し上げて突起４４との係止を解除するようになっている。
【００１８】
以上の構成により本実施形態の化粧料容器１０にあっては、化粧皿２４を装着する際には、この化粧皿２４を上方から化粧皿収納部２０に挿入することにより、この化粧皿２４の下端部が第２係合突起３２に当接し、この当接した状態から更に化粧皿２４を押し込むことにより、一対の爪３０，３０を押し開きつつ化粧皿２４の係合溝２４ａが、図５に示すように第１内面２０ａに形成した一対の第１係合突起２８，２８に係合する。これととともに前記爪３０，３０に形成した第２係合突起３２，３２が係合溝２４ａに位置した時点で、爪３０，３０が復帰してこの第２係合突起３２，３２が係合溝２４ａに係合する。このように第１，第２係合突起２８，３０が係合溝２４ａに係合されることにより、化粧皿２４の離脱が防止されて装着が完了される。
【００１９】
このとき、同図に示したように前記爪３０，３０間の保持壁３４に形成した凸部３６で化粧皿２４が第１係合突起２８，２８方向に押圧されて、この第１係合突起２８，２８と前記係合溝２４ａとの係合状態が保持される。また、前記凸部３６は前記第２係合突起３２，３２より少ない突出量に設定されているので、この第２係合突起３２，３２と係合溝２４ａとの係合状態も保持され、化粧皿の離脱が確実に防止される。従って、本実施形態では化粧皿２４を上方から化粧皿収納部２０に単に押し込むことによって、係合溝２４ａが第１，第２係合突起２８，３２にそれぞれ係合されて化粧皿２４の装着が可能となり、化粧皿２４の装着作業を著しく簡単に行うことができる。
【００２０】
次に、前記化粧皿２４を化粧皿収納部２０から取り外す際には、隔壁１８の凹設部１８ａから指を差し込んで化粧皿２４を第２内面２０ｂに押圧して移動することにより、図６に示すように化粧皿２４で前記凸部３６を押圧して保持壁３４をたわませつつ第１係合突起２８，２８から係合溝２４ａを離脱させる。そして、化粧皿２４の第１係合突起２８，２８側が上方となるように斜めにして化粧皿２４を上方に持ち上げて、第２係合突起３２から係合溝２４ａを離脱することになる。
【００２１】
ところで、上述したように化粧皿２４を装着する際にこれの下端部で爪３０，３０を外方に押し開くが、このとき、第２内面２０ｂの上端部に保持壁３４および爪３０，３０の形成領域の全幅に亘って横スリット３８が形成されているため、この第２内面２０ｂは横スリット３８より下方部分が上下で分離された状態となり、この上下分離された第２内面２０ｂは両側部分のみで連結支持されている。このため、爪３０，３０を押し開くときの押圧力がこの爪３０，３０の付け根部分を介して第２内面２０ｂに伝達されると、この第２内面２０ｂの前記横スリット３８より下方部分は、これの両端部の連結部分を基点として中央部が外方に突出するように湾曲される。
【００２２】
また、前記第２内面２０ｂが湾曲されるとき、化粧皿２４で第２係合突起３２，３２を押圧した際に、爪３０，３０の下端部に発生するモーメントが第２内面２０ｂに同時に入力されるため、この第２内面２０ｂは上方部分に比較して下方部分が大きく外方に移動するねじれ変形が伴うことになる。従って、化粧皿２４を装着する際に爪３０，３０を押圧することによって発生する応力は、爪３０，３０が押し開かれるときの曲げ変形部分と、前記第２内面２０ｂの湾曲変形部分およびねじれ変形部分とに分散される。このため、爪３０，３０の曲げ変形部分、つまり爪３０，３０の付け根部分に応力が集中して破壊されるのを防止し、化粧料容器１０の耐久性を向上することができる。
【００２３】
また、化粧皿２４を取り外す際に保持壁３４をたわませるが、この場合にあっても保持壁３４をたわませる時の押圧力が前記第２内面２０ｂの横スリット３８より下方部分に入力されて、保持壁３４のたわみとともに第２内面２０ｂがねじれを伴って外方に湾曲され、保持壁３４に入力される応力を分散させることができる。このため、保持壁３４のたわみ変形部分に応力が集中するのを防止できるため保持壁３４が破損されるのを防止して、化粧料容器１０の耐久性を向上することができる。
【００２４】
更に、化粧料容器１０を落下させて衝撃が入力された場合には、ショックによる化粧皿２４の移動により保持壁３４や爪３０，３０を押圧してたわませるが、このように保持壁３４や爪３０，３０がたわみ変形されると、前記化粧皿２４の取り外し時と同様に第２内面２０ｂの下方部分が湾曲することにより応力を分散させて保持壁３４および爪３０，３０の破損を防止でき、化粧料容器１０の耐久性を向上することができる。
【００２５】
図７から図９は他の実施形態を示す化粧料容器１０を示し、上記実施形態と同一構成部分に同一符号を付して重複する説明を省略して述べる。図７は化粧皿を取り出して蓋体を開放した状態の化粧料容器の斜視図、図８は図３に対応した断面図、図９は図４に対応した断面図である。
【００２６】
即ち、この実施形態の化粧料容器１０は、横スリット３８を第２内面２０ｂの上端面に形成したもので、この横スリット３８は第２内面２０ｂの化粧皿収納部２０側端面からこの第２内面２０ｂの肉厚分だけ後方に寄った位置に形成される。勿論、この実施形態の横スリット３８は、保持壁３４および爪３０，３０の形成領域の全幅に亘って形成される。
【００２７】
従って、この実施形態にあっても、上記実施形態に示したように横スリット３８を第２内面２０ｂの化粧皿収納部２０に面した上端部に形成した場合と同様に、化粧皿２４の着脱時および化粧料容器１０の落下時に、第２内面２０ｂは横スリット３８ａおよび分離された下端部との間でねじれを伴って湾曲して応力を分散できるため、上記実施形態と同様の作用・効果を奏することができる。
【００２８】
ところで、前記各実施形態に示した横スリット３８は水平方向に直線状に形成した場合を開示したが、これに限ることなく横スリット３８は波形や鋸歯形若しくは山形等自由な形状として形成することができ、また、傾斜させて形成することもできる。
【００２９】
【発明の効果】
以上説明したように本発明の化粧料容器にあっては、化粧皿は、第２内面に形成した爪のたわみ変形を伴って容器本体の化粧皿収納部に装着されるとともに、該第２内面に設けた保持壁のたわみ変形を伴って化粧皿収納部から取り外されるようになっており、かつ第２内面の、ともにたわみ変形する保持壁および爪の上方に、それらの形成領域の全幅に亘って横スリットが形成されているので、化粧皿の脱着時や化粧料容器を落下させた場合に、爪または保持壁のたわみ変形部分に応力が集中することなく、第２内面の前記横スリットより下方部分のねじれを伴う湾曲変形により応力を分散して爪および保持壁の破損を防止することができ、化粧料容器の耐久性を高めることができるという優れた効果を奏する。
【図面の簡単な説明】
【図１】本発明の一実施形態を示す化粧皿を取り出して蓋体を開放した状態の化粧料容器の斜視図である。
【図２】本発明の一実施形態を示す蓋体を開放した化粧料容器の平面図である。
【図３】本発明の一実施形態を示す蓋体を閉止した状態の図２中Ａ−Ａ線に対応する断面図である。
【図４】本発明の一実施形態を示す蓋体を閉止した状態の図２中Ｂ−Ｂ線に対応する断面図である。
【図５】本発明の一実施形態を示す化粧皿の装着状態の拡大要部断面図である。
【図６】本発明の一実施形態を示す化粧皿を離脱する状態の拡大要部断面図である。
【図７】本発明の他の実施形態を示す化粧皿を取り出して蓋体を開放した状態の化粧料容器の斜視図である。
【図８】本発明の他の実施形態を示す図３に対応した断面図である。
【図９】本発明の他の実施形態を示す図４に対応した断面図である。
【符号の説明】
１０  化粧料容器                    １２  容器本体
１４  蓋体                          １６  蝶番
２０  化粧皿収納部                  ２０ａ  第１内面
２０ｂ  第２内面                    ２４  化粧皿
２４ａ  係合溝                      ２６  化粧料
２８  第１係合突起                  ３０  爪
３２  第２係合突起                  ３４  保持壁
３６  凸部                          ３８  横スリット
【図１】
0004381503.tif 000002
【図２】
0004381503.tif 000003
【図３】
0004381503.tif 000004
【図４】
0004381503.tif 000005
【図５】
0004381503.tif 000006
【図６】
0004381503.tif 000007
【図７】
0004381503.tif 000008
【図８】
0004381503.tif 000009
【図９】
0004381503.tif 000010